(57)【要約】【課題】適切な設備への修理交換を提案することにより、発電サイト運営者の収益性向上を図りやすくする交換提案装置、交換提案システム、交換提案方法およびプログラムを提供する。【解決手段】設備の故障情報を取得する故障情報取得部３１と、リスク情報が記憶されたリスクデータベース２１から故障情報に係る設備が設置された地域におけるリスク情報を取得するリスク情報取得部３２と、交換設備情報が記憶された交換設備データベース２２から故障情報に関する交換設備情報を取得する交換設備情報取得部３３と、取得した交換設備情報が、取得したリスク情報に対応しているか判定する判定部３４と、判定部３４においてリスク情報に対応していないと判定された場合、リスク情報に基づいて、設備情報が記憶された製品データベース２３から、取得したリスク情報に対応する設備を選択する選択部３５と、が設けられていることを特徴とする。【選択図】図１
2018160124.tif 000002
【特許請求の範囲】
【請求項１】
情報端末に入力された太陽光発電設備の故障情報を取得する故障情報取得部と、
前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得部と、
前記故障情報に基づいて、交換する太陽光発電設備の仕様を含む交換設備情報が記憶された交換設備データベースから前記故障情報に関する前記交換設備情報を取得する交換設備情報取得部と、
取得した前記交換設備情報が、取得した前記リスク情報に対応しているか判定する判定部と、
前記判定部において前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択部と、
が設けられていることを特徴とする交換提案装置。
【請求項２】
前記選択部において選択した前記太陽光発電設備に係る前記設備情報に基づいて、前記太陽光発電設備の修理費用を含む費用情報が記憶された故障データベースから、当該設備情報に対応した前記費用情報を取得し、選択した前記太陽光発電設備の交換に要する費用を算出する算出部と、が更に設けられていることを特徴とする請求項１記載の交換提案装置。
【請求項３】
前記選択部は、前記故障情報に対応する前記交換設備情報に含まれる前記太陽光発電設備の能力を示す仕様と、前記製品データベースに記憶された前記設備情報に含まれる前記太陽光発電設備の能力を示す仕様と、を更に比較して、少なくとも前記交換設備情報に含まれる前記太陽光発電設備の能力を満たす太陽光発電設備を選択することを特徴とする請求項１または２に記載の交換提案装置。
【請求項４】
前記選択部は、取得された前記リスク情報に含まれるリスクの種類情報に基づいて、前記リスクデータベースから当該種類情報と同じ種類情報を含む他のリスク情報であって、取得された前記リスク情報と紐付けされた地域とは異なる他の地域と紐付けされた他のリスク情報を取得し、
前記他のリスク情報と紐付けされた前記他の地域に基づいて、前記交換設備情報データベースから当該他の地域に紐付けされた他の太陽光発電設備に係る他の交換設備情報を用いて、取得した前記リスク情報に対応する太陽光発電設備を選択することを特徴とする請求項１または２に記載の交換提案装置。
【請求項５】
前記選択部は、前記製品データベースに記憶された設備情報の代わりに、前記交換設備データベースから取得された前記交換設備情報であって、前記故障情報に含まれる前記設置位置情報に基づいて当該設置位置情報から所定範囲の地域に設置された他の太陽光発電設備に係る他の交換設備情報を用いて、取得した前記リスク情報に対応する太陽光発電設備を選択することを特徴とする請求項１または２に記載の交換提案装置。
【請求項６】
前記選択部は、前記故障情報に対応する前記交換設備情報に含まれる前記太陽光発電設備の価格を表す価格情報と、前記製品データベースに記憶された前記設備情報に含まれる前記太陽光発電設備の価格情報と、を更に比較して、少なくとも前記交換設備情報に含まれる前記太陽光発電設備の価格情報から所定範囲内に収まる太陽光発電設備を選択することを特徴とする請求項１または２に記載の交換提案装置。
【請求項７】
太陽光発電設備の故障情報が入力される情報端末と、
地域と紐付けされたリスク情報が記憶されたリスクデータベースと、
交換する太陽光発電設備の仕様を含む交換設備情報が記憶された交換設備データベースと、
太陽光発電設備の仕様に関する情報である設備情報が記憶された製品データベースと、
太陽光発電設備の修理費用を含む故障情報が記憶された故障データベースと、
前記情報端末に入力された前記故障情報を取得する故障情報取得部と、前記故障情報に含まれる前記太陽光発電設備の設置位置情報に基づいて、前記リスクデータベースから前記故障情報に係る前記太陽光発電設備が設置された地域における前記リスク情報を取得するリスク情報取得部と、前記故障情報に基づいて、前記交換設備データベースから前記故障情報に関する前記交換設備情報を取得する交換設備情報取得部と、取得した前記交換設備情報が取得した前記リスク情報に対応しているか判定する判定部と、前記判定部において前記リスク情報に対応していないと判定された場合、前記リスク情報に基づいて、前記製品データベースから、取得した前記リスク情報に対応する太陽光発電設備を選択する選択部と、を有する交換提案装置と、
が設けられていることを特徴とする交換提案システム。
【請求項８】
情報端末に入力された太陽光発電設備の故障情報を取得する故障情報取得ステップと、
前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得ステップと、
前記故障情報に基づいて、交換する太陽光発電設備の仕様を含む交換設備情報が記憶された交換設備データベースから前記故障情報に関する前記交換設備情報を取得する交換設備情報取得ステップと、
取得した前記交換設備情報が、取得した前記リスク情報に対応しているか判定する判定ステップと、
前記判定ステップにおいて前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択ステップと、
を有することを特徴とする交換提案方法。
【請求項９】
コンピュータに、
情報端末に入力された太陽光発電設備の故障情報を取得する故障情報取得機能と、
前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得機能と、
前記故障情報に基づいて、交換する太陽光発電設備の仕様を含む交換設備情報が記憶された交換設備データベースから前記故障情報に関する前記交換設備情報を取得する交換設備情報取得機能と、
取得した前記交換設備情報が、取得した前記リスク情報に対応しているか判定する判定機能と、
前記判定機能により前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択機能と、
を発揮させることを特徴とするプログラム。
【発明の詳細な説明】
【技術分野】
【０００１】
本発明は、交換提案装置、交換提案システム、交換提案方法およびプログラムに関する。
【背景技術】
【０００２】
従来は、太陽光発電サイトで故障が発生して修理交換を行う場合、補償保険を利用することから、修理交換に際して、補償保険で定められている範囲内で適切と考えられる設備を提案するシステム等が提案されていた（例えば、特許文献１参照。）。
【先行技術文献】
【特許文献】
【０００３】
【特許文献１】特開２００３−０３０４３９号公報
【発明の概要】
【発明が解決しようとする課題】
【０００４】
しかしながら、サイトの建設時には適切と考えられていた設備が、周囲の環境変化等の変化要因によって適切とは言い切れない状況が発生すると考えられる。この場合、故障した設備と同等の設備に交換することにより、発電サイトの運営者の収益性向上の機会を逃してしまうという問題があった。
【０００５】
本発明は、上記の課題を解決するためになされたものであって、適切な設備への修理交換を提案することにより、発電サイト運営者の収益性向上を図りやすくすることができる交換提案装置、交換提案システム、交換提案方法およびプログラムを提供することを目的とする。
【課題を解決するための手段】
【０００６】
上記目的を達成するために、本発明は、以下の手段を提供する。
本発明の第１の態様に係る交換提案装置は、情報端末に入力された太陽光発電設備の故障情報を取得する故障情報取得部と、前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得部と、前記故障情報に基づいて、交換する太陽光発電設備の仕様を含む交換設備情報が記憶された交換設備データベースから前記故障情報に関する前記交換設備情報を取得する交換設備情報取得部と、取得した前記交換設備情報が、取得した前記リスク情報に対応しているか判定する判定部と、前記判定部において前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択部と、が設けられていることを特徴とする。
【０００７】
本発明の第２の態様に係る交換提案システムは、太陽光発電設備の故障情報が入力される情報端末と、地域と紐付けされたリスク情報が記憶されたリスクデータベースと、交換する太陽光発電設備の仕様を含む交換設備情報が記憶された交換設備データベースと、太陽光発電設備の仕様に関する情報である設備情報が記憶された製品データベースと、太陽光発電設備の修理費用を含む故障情報が記憶された故障データベースと、前記情報端末に入力された前記故障情報を取得する故障情報取得部と、前記故障情報に含まれる前記太陽光発電設備の設置位置情報に基づいて、前記リスクデータベースから前記故障情報に係る前記太陽光発電設備が設置された地域における前記リスク情報を取得するリスク情報取得部と、前記故障情報に基づいて、前記交換設備データベースから前記故障情報に関する前記交換設備情報を取得する交換設備情報取得部と、取得した前記交換設備情報が取得した前記リスク情報に対応しているか判定する判定部と、前記判定部において前記リスク情報に対応していないと判定された場合、前記リスク情報に基づいて、前記製品データベースから、取得した前記リスク情報に対応する太陽光発電設備を選択する選択部と、を有する交換提案装置と、が設けられていることを特徴とする。
【０００８】
本発明の第３の態様に係る交換提案方法は、情報端末に入力された太陽光発電設備の故障情報を取得する故障情報取得ステップと、前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得ステップと、前記故障情報に基づいて、交換する太陽光発電設備の仕様を含む交換設備情報が記憶された交換設備データベースから前記故障情報に関する前記交換設備情報を取得する交換設備情報取得ステップと、取得した前記交換設備情報が、取得した前記リスク情報に対応しているか判定する判定ステップと、前記判定ステップにおいて前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択ステップと、を有することを特徴とする。
【０００９】
本発明の第４の態様に係るプログラムは、コンピュータに、情報端末に入力された太陽光発電設備の故障情報を取得する故障情報取得機能と、前記故障情報に含まれる前記太陽光発電設備の設置位置情報に基づいて、地域と紐付けされたリスク情報が記憶されたリスクデータベースから前記故障情報に係る前記太陽光発電設備が設置された地域における前記リスク情報を取得するリスク情報取得機能と、前記故障情報に基づいて、交換する太陽光発電設備の仕様を含む交換設備情報が記憶された交換設備データベースから前記故障情報に関する前記交換設備情報を取得する交換設備情報取得機能と、取得した前記交換設備情報が、取得した前記リスク情報に対応しているか判定する判定機能と、前記判定機能により前記リスク情報に対応していないと判定された場合、前記リスク情報に基づいて、太陽光発電設備の仕様に関する情報である設備情報が記憶された製品データベースから、取得した前記リスク情報に対応する太陽光発電設備を選択する選択機能と、を発揮させることを特徴とする。
【００１０】
本発明の第１の態様に係る交換提案装置、第２の態様に係る交換提案システム、第３の態様に係る交換提案方法、および、第４の態様に係るプログラムによれば、交換設備情報がリスク情報に対応していないと判定された場合に、リスク情報と対応する太陽光発電設備が選択される。ここでリスク情報とは、太陽光発電設備が設置されている地域に関連するリスクの情報である。リスク情報の具体例としては、塩害の受けやすさを表す情報や、強風による被害を受けやすさを表す情報や、積雪による被害を受けやすさを表す情報などを例示することができる。
【００１１】
上記発明の第１の態様においては、前記選択部において選択した前記太陽光発電設備に係る前記設備情報に基づいて、前記太陽光発電設備の修理費用を含む費用情報が記憶された故障データベースから、当該設備情報に対応した前記費用情報を取得し、選択した前記太陽光発電設備の交換に要する費用を算出する算出部と、が更に設けられていることが好ましい。
【００１２】
このように算出部を設けることにより、太陽光設備を交換するために必要な費用を把握しやすくなる。そのため、太陽光発電設備を運営する運営者は、提案された太陽光発電設備に交換するか否かの判断を行いやすくなる。
【００１３】
上記発明の第１の態様において前記選択部は、前記故障情報に対応する前記交換設備情報に含まれる前記太陽光発電設備の能力を示す仕様と、前記製品データベースに記憶された前記設備情報に含まれる前記太陽光発電設備の能力を示す仕様と、を更に比較して、少なくとも前記交換設備情報に含まれる前記太陽光発電設備の能力を満たす太陽光発電設備を選択することが好ましい。
【００１４】
このように故障情報に対応する交換設備情報に含まれる太陽光発電設備の能力を示す仕様と、製品データベースに記憶された設備情報に含まれる太陽光発電設備の能力を示す仕様と、を更に比較することにより、交換する前の太陽光発電設備と同じ能力、または、それ以上の能力を有する太陽光発電設備を交換する設備として提案することができる。
【００１５】
上記発明の第１の態様において前記選択部は、取得された前記リスク情報に含まれるリスクの種類情報に基づいて、前記リスクデータベースから当該種類情報と同じ種類情報を含む他のリスク情報であって、取得された前記リスク情報と紐付けされた地域とは異なる他の地域と紐付けされた他のリスク情報を取得し、前記他のリスク情報と紐付けされた前記他の地域に基づいて、前記交換設備情報データベースから当該他の地域に紐付けされた他の太陽光発電設備に係る他の交換設備情報を用いて、取得した前記リスク情報に対応する太陽光発電設備を選択することが好ましい。
【００１６】
このように他のリスク情報に基づいて、他の設備に係る他の交換設備情報を設備情報として取得することにより、同種のリスクを有する他の地域で実際に使用され、リスク情報に対応していることが確かめられている太陽光発電設備を交換する設備として提案することができる。
【００１７】
上記発明の第１の態様において前記選択部は、前記製品データベースに記憶された設備情報の代わりに、前記交換設備データベースから取得された前記交換設備情報であって、前記故障情報に含まれる前記設置位置情報に基づいて当該設置位置情報から所定範囲の地域に設置された他の太陽光発電設備に係る他の交換設備情報を用いて、取得した前記リスク情報に対応する太陽光発電設備を選択することが好ましい。
【００１８】
このように故障情報に含まれる設置位置情報に基づいて当該設置位置情報から所定範囲の地域に設置された他の太陽光発電設備に係る他の交換設備情報を用いることにより、近隣の地域で実際に使用され、リスク情報に対応していることが確かめられている太陽光発電設備を交換する設備として提案することができる。
【００１９】
上記発明の第１の態様において前記選択部は、前記故障情報に対応する前記交換設備情報に含まれる前記太陽光発電設備の価格を表す価格情報と、前記製品データベースに記憶された前記設備情報に含まれる前記太陽光発電設備の価格情報と、を更に比較して、少なくとも前記交換設備情報に含まれる前記太陽光発電設備の価格情報から所定範囲内に収まる太陽光発電設備を選択することが好ましい。
【００２０】
このように故障情報に対応する交換設備情報に含まれる太陽光発電設備の価格を表す価格情報と、製品データベースに記憶された設備情報に含まれる太陽光発電設備の価格情報と、を比較することにより、交換する前の太陽光発電設備と同じ価格、または、その価格から所定範囲内に収まる価格を有する太陽光発電設備を交換する設備として提案することができる。
【発明の効果】
【００２１】
本発明の交換提案装置、交換提案システム、交換提案方法およびプログラムによれば、交換設備情報がリスク情報に対応していないと判定された場合に、リスク情報と対応する太陽光発電設備するため、適切な設備への修理交換を提案することにより、発電サイト運営者の収益性向上を図りやすくすることができるという効果を奏する。
【図面の簡単な説明】
【００２２】
【図１】本発明の一実施形態に係る交換提案システムの構成を説明するブロック図である。
【図２】本発明の交換提案方法に係る演算内容を説明するフローチャートを示す図である。
【図３】図２の提案する設備の選択に係る演算内容を説明するフローチャートを示す図である。
【図４】提案する設備の選定方法を説明する表を示す図である。
【図５】図２の提案する設備の選択に係る別の演算内容を説明するフローチャートを示す図である。
【図６】図２の提案する設備の選択に係る別の演算内容を説明するフローチャートを示す図である。
【図７】図２の提案する設備の選択に係る別の演算内容を説明するフローチャートを示す図である。
【図８】図２の提案する設備の選択に係る別の演算内容を説明するフローチャートを示す図である。
【発明を実施するための形態】
【００２３】
〔第１の実施形態〕
この発明の第１の実施形態に係る交換提案システム１および交換提案方法について、図１から図８を参照しながら説明する。本実施形態では、本発明の交換提案システム１および交換提案方法を、太陽光発電サイトの保守業務において、太陽光パネルや、太陽光パネルを支持する架台や、パワーコンディショナ（以後「ＰＣＳ」とも表記する。）などの設備（太陽光発電設備）の交換業務が発生した際に、交換する設備を提案する交換提案システム１および交換提案方法である例に適用して説明する。
【００２４】
本実施形態に係る交換提案システム１は、図１に示すように、情報端末であるタブレット型コンピュータ１０（以後「タブレット１０」とも表記する。）と、リスクデータベース２１（以後「リスクＤＢ２１」とも表記する。）と、交換設備データベース２２（以後「交換設備ＤＢ２２」とも表記する。）と、製品データベース２３（以後「製品ＤＢ２３」とも表記する。）と、故障データベース２４（以後「故障ＤＢ２４」とも表記する。）と、サーバ（交換提案装置）３０と、から主に構成されている。
【００２５】
タブレット１０は、通信ネットワークを介してサーバ３０と情報通信可能に接続されたものであり、太陽光発電サイトの保守業務を行う作業員が太陽光発電サイトにおける設備の故障に関する情報である故障情報を入力する情報端末である。なお、本実施形態では、情報端末がタブレット型コンピュータである例に適用して説明するが、公知の携帯可能な情報処理装置であってもよいし、デスクトップ型コンピュータのような設置型の情報処理装置であってもよい。また、上述の通信ネットワークは、有線通信による通信網であってもよいし、無線通信による通信網であってもよい。
【００２６】
リスクＤＢ２１は、通信ネットワークを介してサーバ３０と情報通信可能に接続されたものであり、地域と紐付けされたリスク情報が記憶されたものである。リスク情報としては、その地域における最高気温および最低気温を含む気温情報や、最大積雪量を含む積雪情報や、最大風速を含む風速情報や、海岸線からの距離を含む塩害情報などを例示することができる。
【００２７】
交換設備ＤＢ２２は、通信ネットワークを介してサーバ３０と情報通信可能に接続されたものであり、本実施形態の交換提案システム１による設備交換の提案の対象となる運営者太陽光発電サイトに設置された設備の仕様を含む交換設備情報が記憶されたものである。交換設備情報は、設備交換の提案の対象となる太陽光発電サイトの運営者を特定する特定情報に紐付けされた情報であって、当該運営者の太陽光発電サイトに設置された設備の仕様を含む情報である。例えば、設備が太陽光パネルである場合には、製作したメーカを特定する情報、製作年の情報、重さの情報、大きさの情報、最大出力値の情報（能力を示す情報）、耐えられる荷重の情報（耐荷重情報）などが挙げられる。架台の場合には、製作したメーカを特定する情報、製作年の情報、重さの情報、大きさの情報、耐えられる荷重の情報などが挙げられる。
【００２８】
製品ＤＢ２３は、通信ネットワークを介してサーバ３０と情報通信可能に接続されたものであり、太陽光発電サイトの設備の仕様に関する情報である設備情報が記憶されたものである。設備情報は、市場で購入可能な太陽光発電サイトに設置される設備の仕様を含む情報である。例えば、設備が太陽光パネルである場合には、製作したメーカを特定する情報、製作年の情報、重さの情報、大きさの情報、最大出力値の情報（能力を示す情報）、耐えられる荷重の情報などが挙げられる。架台の場合には、製作したメーカを特定する情報、製作年の情報、重さの情報、大きさの情報、耐えられる荷重の情報などが挙げられる。
【００２９】
故障ＤＢ２４は、通信ネットワークを介してサーバ３０と情報通信可能に接続されたものであり、太陽光発電サイトにおける故障した設備の情報である故障情報、および、当該故障情報に紐付けされた故障した設備の修理費用の情報である費用情報が記憶されたものである。故障情報には、故障した設備の種類を特定する物品種別（太陽電池、架台、ＰＣＳ等）情報、製作したメーカを特定する情報、製作年の情報、設備の固体を特定する情報、型式等の物品仕様を特定する情報、数量、設備が設置されている地域を特定する情報（設置位置情報）、故障の原因を特定する故障種別（破損、盗難等；写真を含む）情報、などが含まれている。
【００３０】
サーバ３０は、太陽光発電サイトにおける設備に故障が発生して設備の交換業務が発生した際に、交換する設備を提案する演算処理を行うものである。本実施形態ではサーバ３０がＣＰＵ（中央演算処理ユニット）、ＲＯＭ、ＲＡＭ、入出力インタフェース等を有する情報処理機器である例に適用して説明する。上述のＲＯＭ等の記憶装置に記憶されているプログラムは、ＣＰＵ、ＲＯＭ、ＲＡＭ、入出力インタフェースを協働させて故障情報取得部３１、リスク情報取得部３２、交換設備情報取得部３３、判定部３４、選択部３５、および、算出部３６として機能させるものである。
【００３１】
故障情報取得部３１は、通信ネットワークを介してタブレット１０と情報通信可能に接続されるものであり、タブレット１０に入力された太陽光発電サイトにおける設備の故障に関する情報である故障情報を取得するものである。
【００３２】
リスク情報取得部３２は、タブレット１０から取得した故障情報に含まれる太陽光発電サイトの設置位置情報に基づいて、リスクＤＢ２１から当該設置位置情報が表す地域（言い換えると、故障情報に係る太陽光発電サイトが設置された地域）と紐付けされたリスク情報を取得するものである。
【００３３】
交換設備情報取得部３３は、タブレット１０から取得した故障情報に基づいて、交換設備ＤＢ２２から当該故障情報に含まれる設備と同一仕様を有する設備の情報である交換設備情報を取得するものである。
【００３４】
判定部３４は、交換設備ＤＢ２２から取得した交換設備情報が、リスクＤＢ２１から取得したリスク情報に対応しているか判定するものである。
選択部３５は、判定部３４において交換設備情報がリスク情報に対応していないと判定された場合、リスクＤＢ２１から取得したリスク情報に基づいて、製品ＤＢ２３から、当該リスク情報に対応する太陽光発電サイトの設備を選択するものである。判定部３４における判定の内容、および、選択部３５における選択の内容の詳細については後述する。
【００３５】
算出部３６は、選択部３５において選択した設備に係る設備情報に基づいて、当該設備情報に対応した前記故障情報を故障ＤＢ２４から取得し、選択した太陽光発電サイトの交換に要する費用を算出するものである。ここで費用情報は、故障ＤＢ２４に記憶された故障情報に紐付けされた情報であって、設備の修理費用を含む情報である。
【００３６】
次に、上記の構成からなる交換提案システム１における演算処理の内容について、図２から図８を参照しながら説明する。太陽光発電サイトで故障が発生すると、保守業者の保守エンジニアは、図２に示すように、太陽光発電サイトへ現地駆付け後（または定期点検時に）、設備の事故状況として、当該太陽光発電サイトの運営者を特定する運営者特定情報および太陽光発電サイトを特定するサイト特定情報、物品種別情報、製作したメーカを特定する情報、製作年の情報、設備の固体を特定する情報、設備が設置されている地域を特定する情報、故障種別（故障モード）情報などを故障情報としてタブレット１０に入力する（Ｓ１００：入力ステップ）。
【００３７】
サーバ３０の故障情報取得部３１は、タブレット１０に入力された故障情報を事故報告フォーマットとして電気通信回線を通じて取得する（Ｓ１１０：故障情報取得ステップ）。図４（ａ）に示す表には、故障情報に含まれる故障モードとして、破損が例示されている。サーバ３０は、取得した故障情報に基づき、以下に説明する演算処理を行う。
【００３８】
サーバ３０のリスク情報取得部３２は、取得した故障情報に基づいて、リスクＤＢ２１からリスク情報を取得する演算処理を行う（Ｓ１２０：リスク情報取得ステップ）。具体的には、取得した故障情報に含まれる太陽光発電サイトが設置された地域を特定する設置位置情報を抽出する演算処理を行い、抽出した設置位置情報で表される地域と同じ地域、または、当該地域を含む所定の範囲内に属する地域と紐付けされたリスク情報をリスクＤＢ２１から取得する演算処理を行う。図４（ｂ）に示す表には、リスク情報に含まれる風速情報（３８ｍ／ｓ）や、積雪情報（６０ｃｍ）が例示されている。
【００３９】
サーバ３０の交換設備情報取得部３３は、取得した故障情報に基づいて、交換設備ＤＢ２２から交換設備情報を取得する演算処理を行う（Ｓ１３０：交換設備情報取得ステップ）。具体的には、取得した故障情報に含まれる交換を要する設備の種類を特定する情報、設備の個体を特定する情報、運営者を特定する情報等を抽出する演算処理を行い、抽出した情報等と同じ情報に紐付けされた交換設備情報を交換設備ＤＢ２２から取得する演算処理を行う。
【００４０】
なお、上述のリスク情報取得部３２による取得した故障情報に基づいて、リスクＤＢ２１からリスク情報を取得する演算処理（Ｓ１２０）および、交換設備情報取得部３３による取得した故障情報に基づいて、交換設備ＤＢ２２から交換設備情報を取得する演算処理（Ｓ１３０）は、Ｓ１２０が先に行われた後にＳ１３０が行われてもよいし、Ｓ１３０が先に行われた後にＳ１２０が行われてもよいし、Ｓ１２０およびＳ１３０が同時に行われてもよい。
【００４１】
サーバ３０の判定部３４は、取得した交換設備情報が取得したリスク情報に対応しているか判定する演算処理を行う（Ｓ１４０：判定ステップ）。具体的には、リスク情報に含まれる気温情報や積雪情報や風速情報や塩害情報など情報を抽出する演算処理を行い、交換設備情報に含まれる設備の耐荷重情報などのリスク情報に関連する情報（言い換えると、設備の仕様情報）を抽出する演算処理を行う。その後、抽出した情報を対比して、設備の仕様情報の値が、リスク情報の積雪情報等の値以上であるか否かを判定する演算処理を行う。
【００４２】
図４（ｃ）に示す表では、太陽光パネル（表中では「パネル」と記載）の仕様情報の値が、リスク情報である風速情報（３８ｍ／ｓ）および積雪情報（６０ｃｍ）以上であると判定され（表中では「○」と記載）、架台の仕様情報の値は、風速情報についてはそれ以上（表中では「○」と記載）であり、積雪情報ではそれ未満（表中では「×」と記載）である例を示している。
【００４３】
取得した交換設備情報が取得したリスク情報に対応していないと判定された場合（ＮＯの場合）には、サーバ３０の選択部３５は、製品ＤＢ２３から取得したリスク情報に対応する設備を選択して取得する演算処理を行う（Ｓ１５０：選択ステップ）。
【００４４】
具体的には、図３に示すように、Ｓ１４０において取得したリスク情報の積雪情報等の値に基づいて、当該値以上の耐荷重情報などのリスク情報に関連する情報の値の範囲を設定する演算処理を行い（Ｓ１５１）、設定した範囲の値を含む設備情報を製品ＤＢ２３から取得する演算処理を行う（Ｓ１５２）。なお、上述の耐荷重情報などの値の範囲は、交換提案システム１の運営者が適宜設定することができるものである。
【００４５】
取得したリスク情報に対応する設備が選択されると、図２に示すように、サーバ３０の算出部３６は、選択した設備の交換に要する費用を算出する演算処理を行う（Ｓ１６０）。具体的には、選択して取得された設備情報に含まれる当該設備を特定する情報を抽出する情報処理を行い、当該情報と同じ情報に紐付けされた費用情報を故障ＤＢ２４から取得する演算処理を行う。その後、取得した費用情報に基づいて設備の交換に要する交換費用を算出する演算処理を行う。
【００４６】
サーバ３０の算出部３６は、算出された交換費用が、運営者が加入している保険から支給される補償費と比較し、交換を提案する設備を選択する演算処理を行う（Ｓ１７０）。具体的には、交換費用が補償費用以下である設備、または、交換費用が補償費用を超えていても所定の範囲内に含まれる設備を選択する演算処理を行う。
【００４７】
交換を行う設備が選択されると、または、Ｓ１４０の判定処理において取得した交換設備情報が取得したリスク情報に対応していると判定された場合（ＹＥＳの場合）、サーバ３０は交換する設備を提示する処理を行う（Ｓ１８０）。
【００４８】
上記の構成の交換提案システム１によれば、交換設備情報がリスク情報に対応していないと判定された場合に、リスク情報と対応する太陽光発電サイトの設備が選択される。そのため、太陽光発電サイトの運営者に対して適切な設備への修理交換を提案することが可能になる。さらに、適切な設備への修理交換が可能になるため、発電サイト運営者の収益性向上を図りやすくなる。
【００４９】
例えば、リスク情報と対応する太陽光発電サイトの設備の導入が可能になるため、リスク情報に対応していない設備を継続して使用する場合と比較して、太陽光発電サイトおよび設備における安全性を確保しやすくなり、太陽光発電サイトを長期にわたり安定して運用を行いやすくなる。
【００５０】
算出部３６によって設備の交換費用を求めることにより、設備を交換するために必要な費用を把握しやすくなる。そのため、太陽光発電サイトを運営する運営者は、提案された設備に交換するか否かの判断を行いやすくなる。
【００５１】
なお、上述の実施形態のような提案する設備を選択する演算処理に加えて、以下に説明する演算処理を行ってもよい。
図５に示すように、選択部３５は、Ｓ１３０において取得した交換設備情報に含まれる設備の能力を示す仕様情報を抽出する演算処理を行い（Ｓ２５１）、抽出した仕様情報に基づいて、選択する設備の仕様情報の範囲を設定する演算処理を行う（Ｓ２５２）。その後、Ｓ１５１およびＳ２５２において設定した範囲の値を含む設備情報を製品ＤＢ２３から取得する演算処理を行う（Ｓ２５３）。
【００５２】
このように故障情報に対応する交換設備情報に含まれる設備の能力を示す仕様情報と、製品ＤＢ２３に記憶された設備情報に含まれる設備の能力を示す仕様情報と、を更に比較して選択することにより、交換する前の設備と同じ能力、または、それ以上の能力を有する設備を交換する設備として提案することができる。
【００５３】
また、上述の実施形態のような提案する設備を選択する演算処理に加えて、以下に説明する演算処理を行ってもよい。
図６に示すように、選択部３５は、Ｓ１３０において取得した交換設備情報に含まれる設備の価格を表す価格情報を抽出する演算処理を行い（Ｓ３５１）、抽出した価格情報に基づいて、選択する設備の価格情報の範囲（所定範囲）を設定する演算処理を行う（Ｓ３５２）。その後、Ｓ１５１およびＳ３５２において設定した範囲の値を含む設備情報を製品ＤＢ２３から取得する演算処理を行う（Ｓ３５３）。
【００５４】
このように故障情報に対応する交換設備情報に含まれる設備の価格を表す価格情報と、製品ＤＢ２３に記憶された設備情報に含まれる設備の価格情報と、を比較することにより、交換する前の設備と同じ価格、または、その価格から所定範囲内に収まる価格を有する設備を交換する設備として提案することができる。
【００５５】
また、上述の実施形態のような提案する設備を選択する演算処理（Ｓ１５１、Ｓ１５２）の代わりに、以下に説明する演算処理を行ってもよい。
図７に示すように、選択部３５は、Ｓ１２０において抽出した設置位置情報に基づいて当該設置位置情報の地域を含む所定範囲を設定する演算処理を行う（Ｓ４５１）。その後、設定した所定範囲の地域に設置された他の設備に係る他の交換設備情報を設備情報として交換設備ＤＢ２２からから取得する演算処理を行う（Ｓ４５２）。
【００５６】
このように故障情報に含まれる設置位置情報に基づいて当該設置位置情報から所定範囲の地域に設置された他の設備に係る他の交換設備情報を用いることにより、近隣の地域で実際に使用され、リスク情報に対応していることが確かめられている設備を交換する設備として提案することができる。
【００５７】
また、上述の実施形態のような提案する設備を選択する演算処理（Ｓ１５１、Ｓ１５２）の代わりに、以下に説明する演算処理を行ってもよい。
図８に示すように、選択部３５は、Ｓ１２０において取得したリスク情報に含まれる風速情報や積雪情報などのリスクの種類情報を抽出する演算処理を行い（S５５１）、抽出したリスクの種類情報と同種の種類情報と紐付けされた他のリスク情報であって、Ｓ１２０において取得したリスク情報の地域とは異なる他の地域と紐付けされた他のリスク情報を取得する演算処理を行う（S５５２）。そして、他のリスク情報と紐付けされた他の地域に基づいて、当該他の地域に紐付けされた他の設備に係る他の交換設備情報を設備情報として交換設備ＤＢ２２からから取得する演算処理を行う（S５５３）。
【００５８】
このように他のリスク情報に基づいて、他の設備に係る他の交換設備情報を設備情報として取得することにより、同種のリスクを有する他の地域で実際に使用され、リスク情報に対応していることが確かめられている設備を交換する設備として提案することができる。
【００５９】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【符号の説明】
【００６０】
１…交換提案システム、１０…タブレット型コンピュータ（情報端末）、２１…リスクデータベース、２２…交換設備データベース、２３…製品データベース、２４…故障データベース、３０…サーバ（交換提案装置）、３１…故障情報取得部、３２…リスク情報取得部、３３…交換設備情報取得部、３４…判定部、３５…選択部、３６…算出部、Ｓ１１０…故障情報取得ステップ、Ｓ１２０…リスク情報取得ステップ、Ｓ１３０…交換設備情報取得ステップ、Ｓ１４０…判定ステップ、Ｓ１５０…選択ステップ
【図１】
2018160124.tif 000003
【図２】
2018160124.tif 000004
【図３】
2018160124.tif 000005
【図４】
2018160124.tif 000006
【図５】
2018160124.tif 000007
【図６】
2018160124.tif 000008
【図７】
2018160124.tif 000009
【図８】
2018160124.tif 000010